(57)【要約】【課題】本発明は、光ピックアップに関し、レーザーユニットの位置決め接着の信頼性を向上させ、品質の安定性を損なうことのない光ピックアップを提供する。【解決手段】レーザーユニットを保持するプレートを所定の位置に調整した後、光ピックアップ筐体とプレートとの空隙部に接着剤を充填し接着固定するようにした光ピックアップにおいて、レーザーユニットを保持するプレートの一つの接着面に凸部または凹部を２箇所以上設ける。【選択図】図１
2004178626.tif 000002
【特許請求の範囲】
【請求項１】
光ディスクにレーザービームを照射してディスクからの戻り光を受光する光ピックアップにおいて、
前記レーザービームを放射する光源と前記戻り光を受光する受光素子とホログラム素子が一体化されたレーザーユニットと、前記レーザーユニットの端子が接続されるランドが形成されたフレキシブル基板と、前記レーザーユニットを保持するプレートからなり、前記プレートを前記光ピックアップ筐体に対し、光軸方向及び光軸に直交する方向からなる３軸方向に調整可能なように空隙部または空間を設け、前記レーザーユニットを保持するプレートを所定の位置に調整した後、前記光ピックアップ筐体と前記プレートとの空隙部に接着剤を充填し接着固定するようにした光ピックアップにおいて、前記レーザーユニットを保持するプレートの一つの接着面に凸部または凹部を２箇所設けたことを特徴とする光ピックアップ。
【請求項２】
前記光軸方向及び光軸に直交する方向に、各軸のうちの少なくとも１つの軸に対する回転方向をも加えた４〜６軸方向に調整可能なように空隙部または空間を設けたことを特徴とする請求項１記載の光ピックアップ。
【発明の詳細な説明】
【０００１】
【発明の属する技術分野】
本発明は、ＣＤ、ＤＶＤ等のディスクに信号の記録再生を行なう光学式記録再生装置に用いる光ピックアップに関するものである。
【０００２】
【従来の技術】
光ピックアップ装置は、非接触、大容量、高速アクセス、低コストメディアを特徴とする情報記録再生装置であり、これらの特徴を生かしてディジタルオーディオ信号やディジタル映像信号の記録再生装置として、あるいはコンピュータの外部記憶装置として利用されている。
【０００３】
このような光ピックアップ装置に搭載される光ピックアップは、いずれもレーザー光源より発せられたレーザー光を対物レンズでディスクに集光し、ディスク上の信号に対応した光を受光素子で受光し、電気信号に変換して外部の電気回路に伝えるものである。
【０００４】
以下、図面を参照しながら、従来のレーザーユニット近辺の一例について説明する。
【０００５】
図７は従来の光ピックアップにおけるレーザーユニット近辺の斜視図、図８はその裏面図、図９は図８のＣ−Ｃ断面図、図１０は図８のＤ−Ｄ断面図を示したものである。
【０００６】
図７、８、９、１０において３はレーザーユニットであり、レーザー光を発光するレーザーと戻り光を電気信号に変換する受光素子を有し、後部に放熱用の接地面５が有り、周囲は樹脂でパッケージされている。このレーザーユニット３は金属製のプレート７に接着により保持されている。また、レーザーユニット３はフレキシブルプリント基板（以下ＦＰＣと記す）２に半田付けすることにより電気的接続がなされている。ＦＰＣ２は、正面基板部２ａとレーザーユニット３を半田付けする側面基板部２ｂとに別れており、正面基板部２ａと側面基板部２ｂとは厚みの薄いケーブル部２ｃ、２ｄで繋がれている。
【０００７】
レーザーユニット３は、光ピックアップ筐体（以下シャーシと記す）１に対して光軸方向及び光軸に直交する方向、及び各軸に対する回転方向の３〜６軸方向に調整可能なように、レーザーユニット３を保持するプレート７とシャーシ１との間に空隙部を設けている。また、ケーブル部２ｃ、２ｄの長さを大きくして撓みを持たせ、Ｖ字形状に処理することで位置調整を円滑に行なうことが出来るように配慮されている。
【０００８】
シャーシ１には、接着剤が流れ込み、硬化後には接着剤とシャーシ１との強度を大きく保てるように細い溝１ａ、１ｂが設けてある。
【０００９】
レーザーユニット３を保持するプレート７には、レーザーユニットを調整するための工具と係合するための位置決め穴７ａ、７ｂが設けられている。本事例ではプレート７を磁性材料とし、調整するための工具側をマグネット方式とすることで、プレート７をしっかり保持することができ調整作業を容易にしている。調整工具により各軸について位置調整された後、プレート７とシャーシ１の間の空隙部に、硬化収縮率が小さく硬化後の硬度の大きい紫外線硬化型の接着剤１０ａ、１０ｂを充填し、その後紫外線照射装置によって硬化させる。硬化後には調整工具から切り離す。プレート７の保持はマグネット式であるため、調整後の位置をずらす心配がないことは言うまでもない。
【００１０】
上記のように空隙部に接着剤を充填して位置決め固定する方法として、接着剤にはフィラーを混入させ、接着面であるフレームには凹部を形成してなるものがある（例えば特許文献１参照）。
【００１１】
【特許文献１】
特開平８−３２９５１１号公報（第１、４図）
【００１２】
【発明が解決しようとする課題】
しかしながら上記の光ピックアップでは、レーザーユニット３へ繋がるケーブル２ｃ、２ｄの曲げ反力が、シャーシ１に対してプレート７に常に回転方向の力を与えていることになり、機器の環境の変化等でレーザーユニット３の位置がシャーシ１に対して僅かにずれるおそれがあり、スポットの位置ずれによる書き込み及び読み取り品質の低下の可能性について考慮されていなかった。
【００１３】
【課題を解決するための手段】
本発明はこの課題を解決するもので、光ディスクにレーザービームを照射してディスクからの戻り光を受光する光ピックアップにおいて、前記レーザービームを放射する光源と前記戻り光を受光する受光素子とホログラム素子が一体化されたレーザーユニットと、前記レーザーユニットの端子が接続されるランドが形成されたフレキシブル基板と、前記レーザーユニットを保持するプレートからなり、前記プレートを前記光ピックアップ筐体に対し、光軸方向及び光軸に直交する方向、場合によっては各軸に対する回転方向も加えた３〜６軸方向に調整可能なように空隙部または空間を設け、前記レーザーユニットを保持するプレートを所定の位置に調整した後、前記光ピックアップ筐体と前記プレートとの空隙部に接着剤を充填し接着固定するようにした光ピックアップにおいて、前記レーザーユニットを保持するプレートの一つの接着面に凸部または凹部を２箇所設けたことを特徴とするものである。
【００１４】
【発明の実施の形態】
本発明の第１の実施の形態を図１、図２及び図３を用いて説明する。
【００１５】
図１は本発明の第１の実施の形態に係る光ピックアップの要部を示す概略構成図である。図２は本発明の第１の実施の形態に係る光ピックアップのＡ−Ａ断面図で、図３は本発明の第１の実施の形態に係る光ピックアップの斜視図である。
【００１６】
図１、２、３において３はレーザーユニットであり、レーザー光を発光するレーザーと戻り光を電気信号に変換する受光素子を有し、後部に放熱用の接地面５（図示しない）が有り、周囲は樹脂でパッケージされている。このレーザーユニット３は金属製のプレート１１に接着により保持されている。また、レーザーユニット３はフレキシブルプリント基板（以下ＦＰＣと記す）２に半田付けすることにより電気的接続されている。ＦＰＣ２は、正面基板部２ａとレーザーユニット３を半田付けする側面基板部２ｂとに別れており、正面基板部２ａと側面基板部２ｂとは厚みの薄いケーブル部２ｃ、２ｄで繋がれている。
【００１７】
レーザーユニット３は、光ピックアップ筐体（以下シャーシと記す）１に対して光軸方向及び光軸に直交する方向、及び各軸に対する回転方向の３〜６軸方向に調整可能なように、レーザーユニット３を保持するプレート１１とシャーシ１との間に空隙部を設けている。また、ケーブル部２ｃ、２ｄの長さを大きくして撓みを持たせ、Ｖ字形状に処理することで位置調整を円滑に行なうことが出来るように配慮されている。
【００１８】
シャーシ１には、接着剤が流れ込み、硬化後には接着剤の剛性によりレーザーユニット３の姿勢を保持するための細い溝１ａ、１ｂが設けてある。
【００１９】
レーザーユニット３を保持するプレート１１には、レーザーユニットを調整するための工具と係合するための位置決め穴１１ａ、１１ｂが設けられている。本事例ではプレート１１を磁性材料とし、調整するための工具側をマグネット方式とすることで、プレート１１をしっかり保持することができ調整作業を容易にしている。また、プレート１１の２つの側面接着面には、半抜きプレスによる凹部１２、１３、１４，１５が施されており、シャーシ１の接着面に対面するように配置される。この時、プレート１１の凹部１２と１３、及び１４と１５はプレート１１の側面接着面内において出来うる限り離れた間隔に配置することが望ましい。
【００２０】
前記調整工具により調整された後、プレート１１とシャーシ１の間の空隙部に、硬化収縮率が小さく硬化後の硬度の大きい紫外線硬化型の接着剤２０ａ、２０ｂを充填する。この時紫外線硬化型接着剤は、シャーシ１の溝部１ａ、１ｂ及びプレート１１の凹部１２、１３、１４、１５に充填するよう塗布される。その後紫外線の照射により接着剤を硬化させ、プレート１１の姿勢を固定する。硬化後には調整工具からプレート１１を切り離す。プレート１１の保持はマグネット式であるため、調整後の位置をずらす心配がないことは言うまでもない。
【００２１】
上記のように構成された光ピックアップでは、レーザーユニット３を保持するプレート１１とシャーシ１の接着力が強固になり、レーザーユニット３へ繋がるケーブル部２ｃ、２ｄの曲げ反力が働いてプレート１１に回転方向の力が加わえられても、プレート１１のそれぞれの側面接着面内にある２箇所の凹部（１２と１３及び１４と１５）により回転方向の力を受け止めることができる。この時、前記２箇所の凹部（１２と１３及び１４と１５）の間隔を接着面内において出来うる限り離れた位置に配置することで、ケーブル部の曲げ反力による回転モーメントを効果的に受け止めることが出来る。
また、機器の環境の変化等で、レーザーユニット３の位置がずれるおそれがなく、スポットの位置ずれによる書き込み及び読み取り品質の低下につながる可能性もなくなる。
【００２２】
次に本発明の第２の実施の形態を図４、図５及び図６を用いて説明する。
【００２３】
図４は本発明の第２の実施の形態に係る光ピックアップの要部を示す概略構成図である。図５は本発明の第２の実施の形態に係る光ピックアップのＢ−Ｂ断面図で、図６は本発明の第２の実施の形態に係る光ピックアップの斜視図である。
【００２４】
図４、５、６において３はレーザーユニットであり、レーザー光を発光するレーザーと戻り光を電気信号に変換する受光素子を有し、周囲は樹脂でパッケージされている。このレーザーユニット３は金属製のプレート２１に接着により保持されている。また、レーザーユニット３はフレキシブルプリント基板（以下ＦＰＣと記す）２に半田付けすることにより電気的接続されている。ＦＰＣ２は、正面基板部２ａとレーザーユニット３を半田付けする側面基板部２ｂとに別れており、正面基板部２ａと側面基板部２ｂとは厚みの薄いケーブル部２ｃ、２ｄで繋がれている。
【００２５】
レーザーユニット３は、光ピックアップ筐体（以下シャーシと記す）１に対して光軸方向及び光軸に直交する方向、及び各軸に対する回転方向の３〜６軸方向に調整可能なように、レーザーユニット３を保持するプレート２１とシャーシ１との間に空隙部を設けている。また、ケーブル部２ｃ、２ｄの長さを大きくして撓みを持たせ、Ｖ字形状に処理することで位置調整を円滑に行なうことが出来るように配慮されている。
【００２６】
シャーシ１には、接着剤が流れ込み、硬化後には接着剤の剛性によりレーザーユニット３の姿勢を保持するための細い溝１ａ、１ｂが設けてある。
【００２７】
レーザーユニット３を保持するプレート２１には、レーザーユニットを調整するための工具と係合するための位置決め穴２１ａ、２１ｂが設けられている。本事例ではプレート２１を磁性材料とし、調整するための工具側をマグネット方式とすることで、プレート２１をしっかり保持することができ調整作業を容易にしている。また、プレート２１の２つの側面接着面には、半抜きプレスによる凸部２２、２３、２４，２５が施されており、シャーシ１の接着面に対面するように配置される。この時、プレート２１の凸部２２と２３、及び２４と２５はプレート２１の側面接着面内において出来うる限り離れた間隔に配置することが望ましい。
【００２８】
前記調整工具により調整された後、プレート２１とシャーシ１の間の空隙部に、硬化収縮率が小さく硬化後の硬度の大きい紫外線硬化型の接着剤３０ａ、３０ｂを充填する。この時紫外線硬化型接着剤は、シャーシ１の溝部１ａ、１ｂに充填、及びプレート２１の凸部２２、２３、２４、２５を覆い込むように塗布される。その後紫外線の照射により接着剤を硬化させ、プレート２１の姿勢を固定する。硬化後には調整工具からプレート２１を切り離す。プレート２１の保持はマグネット式であるため、調整後の位置をずらす心配がないことは言うまでもない。
【００２９】
上記のように構成された光ピックアップでは、レーザーユニット３を保持するプレート２１とシャーシ１の接着力が強固になり、レーザーユニット３へ繋がるケーブル部２ｃ、２ｄの曲げ反力が働いてプレート２１に回転方向の力が加わえられても、プレート２１のそれぞれの側面接着面内にある２箇所の凸部（２２と２３及び２４と２５）により回転方向の力を受け止めることができろ。この時、前記２箇所の凸部（２２と２３及び２４と２５）の間隔を接着面内において出来うる限り離れた位置に配置することで、ケーブル部の曲げ反力による回転モーメントを効果的に受け止めることが出来る。
また、機器の環境の変化等で、レーザーユニット３の位置がずれるおそれがなく、スポットの位置ずれによる書き込み及び読み取り品質の低下につながる
【００３０】
【発明の効果】
以上説明したように、本発明によればレーザーユニットの調整終了後において、フレキシブル基板の反発力により環境変化においても信頼性の高い光ピックアップを提供することができる。
【図面の簡単な説明】
【図１】本発明による第１の実施の形態に係る光ピックアップにおけるレーザーユニット要部の概略構成図である。
【図２】本発明による第１の実施の形態に係る光ピックアップにおけるＡ−Ａ断面図である。
【図３】本発明による第１の実施の形態に係る光ピックアップにおけるレーザーユニットの斜視図である。
【図４】本発明による第２の実施の形態に係る光ピックアップにおけるレーザーユニット要部の概略構成図である。
【図５】本発明による第２の実施の形態に係る光ピックアップにおけるＢ−Ｂ断面図である。
【図６】本発明による第２の実施の形態に係る光ピックアップにおけるレーザーユニットの斜視図である。
【図７】従来の光ピックアップにおけるレーザーユニットの斜視図である。
【図８】従来の光ピックアップにおけるレーザーユニット要部の概略構成図である。
【図９】従来の光ピックアップにおけるＣ−Ｃ断面図である。
【図１０】従来の光ピックアップにおけるＤ−Ｄ断面図である。
【符号の説明】
１  シャーシ
１ａ  溝部
１ｂ  溝部
２  ＦＰＣ
２ａ  正面基板部
２ｂ  側面基板部
２ｃ  ケーブル部
２ｄ  ケーブル部
３  レーザーユニット
５  接地面
７  プレート
１０ａ  接着剤
１０ｂ  接着剤
１１  プレート
１２  凹部
１３  凹部
１４  凹部
２１  プレート
２２  凸部
２３  凸部
２４  凸部
２５  凸部
３０ａ  接着剤
３０ｂ  接着剤
【図１】
2004178626.tif 000003
【図２】
2004178626.tif 000004
【図３】
2004178626.tif 000005
【図４】
2004178626.tif 000006
【図５】
2004178626.tif 000007
【図６】
2004178626.tif 000008
【図７】
2004178626.tif 000009
【図８】
2004178626.tif 000010
【図９】
2004178626.tif 000011
【図１０】
2004178626.tif 000012